(57)【特許請求の範囲】
【請求項１】
トナー像を保持する像保持体と、
前記像保持体上に保持されたトナー像が転写される中間転写体と、
前記中間転写体の表面の傷を塞ぐ透明トナーを中間転写体へ付着させる付着手段と、
前記中間転写体の表面の損傷度合に応じて、前記付着手段によって該中間転写体の表面に透明トナーを付着させる量を変える制御手段と、
を有することを特徴とする画像形成装置。
【請求項２】
トナー像を保持する像保持体と、
前記像保持体上に保持されたトナー像が転写される中間転写体と、
前記中間転写体の表面の傷を塞ぐ透明トナーを中間転写体へ付着させる付着手段と、
前記中間転写体の表面について算出された反射率に応じて、前記付着手段によって該中間転写体の表面に透明トナーを付着させる量を変える制御手段と、
を有することを特徴とする画像形成装置。
【請求項３】
トナー像を保持する像保持体と、
前記像保持体上に保持されたトナー像が転写される中間転写体と、
前記中間転写体の表面の傷を塞ぐ透明トナーを中間転写体へ付着させる付着手段と、
前記中間転写体が１周する時間から算出された前記中間転写部材の伸びに応じて、前記付着手段によって該中間転写体の表面に透明トナーを付着させる量を変える制御手段と、
を有することを特徴とする画像形成装置。
【請求項４】
トナー像を保持する像保持体と、
前記像保持体上に保持されたトナー像が転写される中間転写体と、
前記中間転写体の表面の傷を塞ぐ透明トナーを中間転写体へ付着させる付着手段と、
前記中間転写体の積算回転数に応じて、前記付着手段によって該中間転写体の表面に透明トナーを付着させる量を変える制御手段と、
を有することを特徴とする画像形成装置。
【請求項５】
前記中間転写体が、ベルト状の弾性層と、前記弾性層の表面に形成され転写されたトナー像を剥がれやすくする離型層と、を有するベルト部材であることを特徴とする請求項１〜４の何れか1項に記載の画像形成装置。
【請求項６】
前記離型層の厚みをｔ（μｍ）、前記透明トナーの体積平均粒径をｄ（μｍ）としたとき、ｔ＜ｄ＋２５μｍの関係を満たすことを特徴とする請求項１〜５の何れか１項に記載の画像形成装置。
【請求項７】
前記ベルト部材に転写されたトナー像を転写する記録媒体の厚みが厚くなると前記付着手段で付着させる透明トナーの量を増やすことを特徴とする請求項１〜６の何れか１項に記載の画像形成装置。
【発明の詳細な説明】
【技術分野】
【０００１】
本発明は、画像形成装置に関する。
【背景技術】
【０００２】
従来、電子写真方式を用いた画像形成装置では、感光体ドラムなどの像保持体の外周面を帯電、露光して形成した静電潜像をトナーによって現像することにより、静電潜像を可視化して像保持体上にトナー像を形成し、そのトナー像を中間転写部材に転写させた後、該中間転写部材を介して用紙などの記録媒体に該トナー像を転写し、定着させることにより記録媒体上に画像を形成する。
【０００３】
ここで、中間転写部材として弾性体を用いることで中間転写部材表面を柔らかくし、文字画像を転写する時に生じる、転写部での圧接による中間転写部材とトナー像との圧力を小さくすることができる。これにより、トナー像と中間転写部材との付着力が弱くなり、ポリイミドなどの硬い樹脂を中間転写部材として用いたときよりも文字の中抜け現象（転写抜け）が改善されることが知られている（特許文献１）。
【０００４】
また、中間転写部材としてベルト部材を用い、該ベルト部材の基材として弾性材を使用すると、トナー像への集中荷重の低減が図られることから、転写抜け等の問題が根本的に解決される他に、弾性材を中間転写部材とすることで、用紙に凹凸があった場合でも用紙の表面に接触しやすくなるために転写抜けを防止できる。（特許文献２）。
【特許文献１】特開２００３−２８０４０５号公報
【特許文献２】特開２００４−１１７３８１号公報
【発明の開示】
【発明が解決しようとする課題】
【０００５】
本発明は、中間転写体の表面の損傷による転写抜け等を抑制することを目的とする。
【課題を解決するための手段】
【０００６】
請求項１に記載の発明は、画像形成装置において、トナー像を保持する像保持体と、前記像保持体上に保持されたトナー像が転写される中間転写体と、前記中間転写体の表面の傷を塞ぐ透明トナーを中間転写体へ付着させる付着手段と、前記中間転写体の表面の損傷度合に応じて、前記付着手段によって該中間転写体の表面に透明トナーを付着させる量を変える制御手段と、を有することを特徴とする。
【０００７】
請求項２に記載の発明は、画像形成装置において、トナー像を保持する像保持体と、前記像保持体上に保持されたトナー像が転写される中間転写体と、前記中間転写体の表面の傷を塞ぐ透明トナーを中間転写体へ付着させる付着手段と、前記中間転写体の表面について算出された反射率に応じて、前記付着手段によって該中間転写体の表面に透明トナーを付着させる量を変える制御手段と、を有することを特徴とする。
【０００８】
請求項３に記載の発明は、画像形成装置において、トナー像を保持する像保持体と、前記像保持体上に保持されたトナー像が転写される中間転写体と、前記中間転写体の表面の傷を塞ぐ透明トナーを中間転写体へ付着させる付着手段と、前記中間転写体が1周する時間から算出された前記中間転写部材の伸びに応じて、前記付着手段によって該中間転写体の表面に透明トナーを付着させる量を変える制御手段と、を有することを特徴とする。
【０００９】
請求項４に記載の発明は、画像形成装置において、トナー像を保持する像保持体と、前記像保持体上に保持されたトナー像が転写される中間転写体と、前記中間転写体の表面の傷を塞ぐ透明トナーを中間転写体へ付着させる付着手段と、前記中間転写体の積算回転数に応じて、前記付着手段によって該中間転写体の表面に透明トナーを付着させる量を変える制御手段と、を有することを特徴とする。
【００１０】
請求項５に記載の発明は、請求項１〜４の何れか1項に記載の画像形成装置において、前記中間転写体が、ベルト状の弾性層と、前記弾性層の表面に形成され転写されたトナー像を剥がれやすくする離型層と、を有するベルト部材であることを特徴とする。
【００１１】
請求項６に記載の発明は、請求項１〜５の何れか1項に記載の画像形成装置において、前記離型層の厚みをｔ（μｍ）、前記透明トナーの体積平均粒径をｄ（μｍ）としたとき、ｔ＜ｄ＋２５μｍの関係を満たすことを特徴とすることを特徴とする。
【００１２】
請求項７に記載の発明は、請求項１〜６の何れか１項に記載の画像形成装置において、前記ベルト部材に転写されたトナー像を転写する記録媒体の厚みが厚くなると前記付着手段で付着させる透明トナーの量を増やすことを特徴とすることを特徴とする。
【発明の効果】
【００１４】
本発明は上記構成としたので、中間転写体の表面の損傷による転写抜け等を抑制することができる。
【発明を実施するための最良の形態】
【００１５】
以下、図面を参照して本発明の実施の形態に係る画像形成装置について説明する。
【００１６】
図１には、画像形成装置１０の構成が概略的に示されている。画像形成装置１０の上部側には、複数（本実施の形態では四つ）の支持ロール３４〜４０（後述する）によって無端ベルト状の中間転写体ベルト１６が張架されている。この中間転写体ベルト１６は、モータ（図示省略）の駆動により矢印Ａ方向へ搬送されるようになっており、中間転写体ベルト１６の上部には、中間転写体ベルト１６の搬送方向に沿って、複数の画像形成ユニット１２（詳細は後述する）が配設されている。
【００１７】
本実施の形態における画像形成装置１０は、カラー画像の形成にも対応しており、イエロー（Ｙ）、マゼンタ（Ｍ）、シアン（Ｃ）、ブラック（Ｋ）の４色に対応するトナー像を形成する画像形成ユニット１２Ｙ、１２Ｍ、１２Ｃ、１２Ｋがそれぞれ配設されている。
【００１８】
以下、ＴＹＭＣＫを区別する必要がある場合は、符号の後にＹ、Ｍ、Ｃ、Ｋの何れかを付して説明し、ＴＹＭＣＫを区別する必要が無い場合は、Ｙ、Ｍ、Ｃ、Ｋを省略する。
【００１９】
そして、これらカラー画像形成用の画像形成ユニット１２Ｙ、１２Ｍ、１２Ｃ、１２Ｋとは別に、中間転写体ベルト１６の搬送方向の、画像形成ユニット１２Ｙの上流側には、透明トナー像を形成するための画像形成ユニット１２Ｔ（付着手段）が配設されている。
【００２０】
各画像形成ユニット１２（なお、各画像形成ユニット１２の構成は同様であるので、ここでは各々の色を示す末尾の符号を省略して説明する。）は、中間転写体ベルト１６に接するように配設されており、矢印Ｂ方向に所定速度で回転する感光体ドラム２２を備えている。
【００２１】
感光体ドラム２２の周囲には、感光体ドラム２２を帯電させるための帯電装置２４が配置されている。この帯電装置２４ではコロトロンなどの帯電器（以下、「帯電器２４」という）を用いており、コロナ放電によって発生したイオンを感光体ドラム２２の表面に導いて、感光体ドラム２２の表面を所定の電位に一様に帯電させる。
【００２２】
なお、帯電装置として、このような帯電器以外にも、感光体ドラム２２の周面に接触し感光体ドラム２２の回転に追従して、感光体ドラム２２の表面を帯電させる帯電ロールを用いてもよい。
【００２３】
帯電器２４よりも感光体ドラム２２の回転方向Ｂの下流側には、露光装置２６が備えられている。露光装置２６は、複数のＬＥＤ（発光ダイオード）が配列されたＬＥＤアレイを含んで構成されており、帯電器２４により一様に帯電された感光体ドラム２２へ、画像データに基づいて光ビームを変調し、照射する。これにより、感光体ドラム２２上に静電潜像が形成される。
【００２４】
なお、この露光装置２６は感光体ドラム２２上に光によって像を書き込めるものであれば良いため、ＬＥＤを用いたプリントヘッドに限るものではなく、ＥＬを用いたプリントヘッドでも、レーザビームをポリゴンミラーでスキャンするスキャナなどでも良い。
【００２５】
また、露光装置２６よりも感光体ドラム２２の回転方向Ｂの下流側には、現像装置３２が配設されている。現像装置３２から感光体ドラム２２にトナーが供給され、感光体ドラム２２上に形成された静電潜像が現像され、トナー像が形成される。
【００２６】
さらに、現像装置３２よりも感光体ドラム２２の回転方向Ｂの下流側には、一次転写ロール２８が備えられている。この一次転写ロール２８には、トナーの電荷と逆極性の電圧が印加され、感光体ドラム２２上のトナーを中間転写体ベルト１６上に転写させる。
【００２７】
各画像形成ユニット１２により形成された互いに異なる色のトナー像は、互いに重なり合うように中間転写体ベルト１６上に各々転写される。これにより、中間転写体ベルト１６上にカラーのトナー像が形成される。
【００２８】
ここで、一次転写ロール２８よりも感光体ドラム２２の回転方向Ｂの下流側には、クリーニングブレード３０が配置されている。このクリーニングブレード３０が感光体ドラム２２の表面に当ることによって、一次転写ロール２８で中間転写体ベルト１６に転写させることができずに感光体ドラム２２上に残留した転写残トナーが除去される。
【００２９】
なお、ここでは、クリーニングブレード３０を用いたが、感光体ドラム２２上の残留トナーを清掃するクリーニング装置であれば良いため、クリーニング方式など材質等については適宜選定可能である。
【００３０】
一方、中間転写体ベルト１６を張架する支持ロール３４〜４０は、支持ロール３４がモータによって駆動する駆動ロールとして用いられ、支持ロール３６が従動ロールとして用いられる。また、支持ロール３８が中間転写体ベルト１６の移動方向に略直交する方向の蛇行規制用の補正ロールとして用いられ、支持ロール４０が一括転写ユニット４２のバックアップロールとして用いられる。以下、この支持ロール４０をバックアップロール４０という。
【００３１】
一括転写ユニット４２は、中間転写体ベルト１６のトナー保持面側に圧接配置される二次転写ロール４４を備えており、二次転写ロール４４にトナーの帯電極性と逆極性の電圧が印加されると（バックアップロール４０に、トナーの帯電極性と同極性の電圧が印加されるようにしても良い）、バックアップロール４０と二次転写ロール４４との間に形成される転写電界にて、中間転写体ベルト１６上に保持された未定着トナー像は、二次転写部Ｑにおいて用紙Ｐに一括転写（二次転写）される。
【００３２】
用紙Ｐは、供給トレイ８１に収容されており、ピックアップロール８２にて供給された後、レジストレーションロール８３を経て二次転写部Ｑへ導かれ、該二次転写部Ｑで、中間転写体ベルト１６上に保持されたトナー像が用紙Ｐに一括転写される。
【００３３】
ここで、一括転写ユニット４２には、二次転写ロール４４以外に支持ロール４６が設けられており、二次転写ロール４４と支持ロール４６とで用紙剥離用ベルト４８（転写手段）を張架している。中間転写体ベルト１６上のトナー像が一括転写された用紙Ｐは、後述する搬送ベルト５０へ案内されるようになっているが、中間転写体ベルト１６に静電吸着されるため、該中間転写体ベルト１６から剥離させる必要がある。このため、一括転写ユニット４２に用紙剥離用ベルト４８を備えることで、用紙Ｐへの一括転写と中間転写体ベルト１６からの剥離を同時に実現させている。
【００３４】
そして、一括転写され中間転写体ベルト１６から剥離された用紙Ｐは、二次転写部Ｑの近傍に配設された搬送ベルト５０によって定着装置５２へ搬送され、定着装置５２を構成する加圧ローラ５２Ａと加熱ローラ５２Ｂとによって挟持搬送されることにより、用紙Ｐ上のトナーが溶融して定着される。これにより、所望の画像が形成された用紙Ｐは、画像形成装置１０外へ排出される。
【００３５】
一方、一括転写後、中間転写体ベルト１６上に残留したトナーは、中間転写体ベルト１６を間に置いて支持ロール３６の反対側に配設されたベルトクリーナ５４によって除去される。
【００３６】
ところで、本実施形態では、図２に示すように、中間転写体ベルト１６を三層構造とし、中間転写体ベルト１６の裏面側から表面側へ向かって樹脂層６０、弾性層６２、離型層６４を積層している。
【００３７】
樹脂層６０を構成する樹脂材料としては、ポリカーボネート、ポリ塩化ビニリデン、アイオノマー樹脂、ポリウレタン樹脂、シリコーン樹脂、ケトン樹脂、エチレン−エチルアクリレート共重合体、キシレン樹脂及びポリビニルブチラール樹脂、ポリアミド樹脂、ポリイミド樹脂、変性ポリフェニレンオキサイド樹脂、変性ポリカーボネート等からなる群より選ばれる１種類あるいは２種類以上が挙げられるが、上記材料に限定されるものではない。
【００３８】
また、弾性層６２を構成する弾性材料（弾性材ゴム、エラストマー）としては、ブチルゴム、フッ素系ゴム、アクリルゴム、ＥＰＤＭ（エチレン−プロピレン−ジエン三元共重合ゴム）、ＮＢＲ、アクリロニトリル−ブタジエン−スチレンゴム天然ゴム、イソプレンゴム、スチレン−ブタジエンゴム、ブタジエンゴム、エチレン−プロピレンゴム、エチレン−プロピレンターポリマー、クロロプレンゴム、クロロスルホン化ポリエチレン、塩素化ポリエチレン、ウレタンゴム、シンジオタクチック１，２−ポリブタジエン、エピクロロヒドリン系ゴム、リコーンゴム、フッ素ゴム、多硫化ゴム、ポリノルボルネンゴム、水素化ニトリルゴム、熱可塑性エラストマー（例えばポリスチレン系、ポリオレフィン系、ポリ塩化ビニル系、ポリウレタン系、ポリアミド系、ポリウレア、ポリエステル系、フッ素樹脂系）等からなる群より選ばれる１種類あるいは２種類以上が挙げられるが、上記材料に限定されるものではない。
【００３９】
さらに、離型層６４の材料は特に制限は無いが、中間転写体ベルト１６の表面へのトナーの付着力を小さくして二次転写性を高めるものが要求される。例えば、ポリウレタン、ポリエステル、エポキシ樹脂等の１種類の樹脂材料か、弾性材料（弾性材ゴム、エラストマー）、ブチルゴム、フッ素系ゴム、アクリルゴム、ＥＰＤＭ、ＮＢＲ、アクリロニトリル−ブタジエン−スチレンゴム天然ゴム、イソプレンゴム、スチレン−ブタジエンゴム、ブタジエンゴム、エチレン−プロピレンゴム、エチレン−プロピレンターポリマー、クロロプレンゴム、クロロスルホン化ポリエチレン、塩素化ポリエチレン、ウレタンゴムの弾性材料のうち、２種類以上を使用し表面エネルギーを小さくし潤滑性を高める材料、例えばフッ素樹脂、フッ素化合物、フッ化炭素、２酸化チタン、シリコンカーバイト等の粉体、粒子を１種類あるいは２種類以上または粒径を変えたものを分散させて使用しても良い。
【００４０】
なお、ここでは、中間転写体ベルト１６を三層構造として、樹脂層６０、弾性層６２、離型層６４を積層させたが、必ずしも三層構造である必要はなく、樹脂層６０と弾性層６２を一つの層として、同じ材料を用いても良い。
【００４１】
一方、図１に示すように、支持ロール３４側の中間転写体ベルト１６の表面と対面する位置には反射率算出装置６６が配設されており、この反射率算出装置６６に備えられた図３で示す光照射装置６８によって中間転写体ベルト１６の表面へ向かって光が照射され、中間転写体ベルト１６からの反射光を反射率算出装置６６に備えられたＣＣＤイメージセンサ７０で読み取るようになっている。そして、このＣＣＤイメージセンサ７０で読み取られた画像信号は算出部７２へ送信され、該算出部７２によって中間転写体ベルト１６の反射率が算出される。
【００４２】
中間転写体ベルト１６の表面の損傷度合が高いほど、反射率は低くなるため、この反射率を算出することで、該中間転写体ベルト１６の表面の損傷度合を判定することができる。
【００４３】
そして、算出部７２によって算出されたデータは、制御部７４へ送信される。制御部７４は画像形成ユニット１２Ｔと接続しており、算出部７２による算出結果により、中間転写体ベルト１６の表面の反射率が所定値（基準値）以下になると、画像形成ユニット１２Ｔを制御して、中間転写体ベルト１６の表面に透明トナーを供給して付着させる。
【００４４】
なお、中間転写体ベルト１６の表面の反射率の基準値を設定し、この基準値以下の場合、その反射率に応じて、中間転写体ベルト１６の表面に供給する透明トナーの量を変えるようにしても良い。そして、中間転写体ベルト１６の損傷部に拘わらず、中間転写体ベルト１６の表面、全面に渡って透明トナーを付着させるようにしても良い。
【００４５】
次に、本発明の実施形態に係る画像形成装置の作用について説明する。
【００４６】
図示しない画像信号処理手段から入力される各色のデジタル画像データに応じて、図１に示す画像形成ユニット１２（なお、画像形成ユニット１２Ｔは除く）が駆動する。そして、各画像形成ユニット１２では、帯電器２４により感光体ドラム２２の表面が一様に帯電し、露光装置２６によって該画像データに応じて感光体ドラム２２が照射され、感光体ドラム２２の表面に静電潜像が各々形成される。
【００４７】
これらの各静電潜像は、各色のトナーが収容された現像装置３２によって現像され、各色毎にトナー像が形成される。さらに、各感光体ドラム２２上に形成されたトナー像は、各感光体ドラム２２と中間転写体ベルト１６とが接する一次転写部Ｒで一次転写ロール２８によって、トナーの電荷と逆極性の電圧（一次転写バイアス）が印加され、感光体ドラム２２から中間転写体ベルト１６の表面に順次転写される。
【００４８】
このようにして中間転写体ベルト１６に一次転写されたトナー像は中間転写体ベルト１６上で重ね合わされ、中間転写体ベルト１６の回動に伴って二次転写部Ｑへと搬送される。
【００４９】
用紙Ｐは所定のタイミングで二次転写部Ｑへ供給され、この二次転写部Ｑにおいて、一括転写ユニット４２の二次転写ロール４４には、トナーの帯電極性と逆極性の電圧（二次転写バイアス）が印加され、二次転写ロール４４とバックアップロール４０との間に形成される転写電界の作用で、中間転写体ベルト１６上に保持されたトナー像が用紙Ｐに一括転写（二次転写）される。そして、トナー像が転写された用紙Ｐは、搬送ベルト５０により定着装置５２へと搬送されトナー像の定着が行われた後、画像形成装置１０外へ排出される。
【００５０】
一方、本実施形態では、中間転写体ベルト１６を、樹脂層６０、弾性層６２、離型層６４の三層構造としている。一例として、樹脂層６０には８０μｍの厚みのポリイミド樹脂を用い、該ポリイミド樹脂の表面に、弾性層６２としてクロロプレンゴム、ＥＰＤＭからなる３００μｍの厚みのゴム層を積層させ、このゴム層の表面に、離型層６４としてウレタンゴムにフッ素ゴムを分散させた５μｍの厚みの層を積層させる。
【００５１】
ここで、中間転写体ベルト１６に弾性材料を用いることで、転写抜けが改善されるが、弾性材料を用いる際は、トナーとの離型性を考慮し、弾性材料の表面に離型層６４を設ける必要がある。しかし、この離型層６４は、経時変化によりひび割れしたり、用紙端部による摺擦により磨耗したりする。
【００５２】
このような離型層６４のひび割れ、磨耗が進み、下地である弾性層６２が露出すると、トナーに対する離型性が確保できなくなり、画像デフェクトとして画像のひび割れ、転写不良が発生し、かぶり、文字の抜け、画像中の転写ムラが発生してしまう。
【００５３】
ところで、図１及び図３に示すように、中間転写体ベルト１６の表面と対面して配置された反射率算出装置６６の光照射装置６８から照射された光による中間転写体ベルト１６からの反射光をＣＣＤイメージセンサ７０で読み取り、算出部７２によって中間転写体ベルト１６の表面の反射率を算出する。そして、該反射率が所定値以下になると、制御部７４が画像形成ユニット１２Ｔを制御して、中間転写体ベルト１６の表面に透明トナーを供給して付着させる。
【００５４】
図４に示すように、中間転写体ベルト１６の表面に形成された傷、クラック７６内には、トナー像８０の一部が入り込むことになる。そして、中間転写体ベルト１６に転写されたトナー像８０は用紙Ｐに転写されるとき、該トナー像８０の一部が、中間転写体ベルト１６の表面のクラック７６の中に入り込んだ状態まま用紙Ｐに転写される。このため、クラック７６内に入り込んだトナー像８０の一部は、中間転写体ベルト１６側に残り用紙Ｐへは転写されない、いわゆる転写抜けの状態が発生してしまう（図５（Ａ）参照）。
【００５５】
しかし、本実施形態では、中間転写体ベルト１６の表面の傷を透明トナーで塞ぐため、この傷による凹部はなくなる。このため、該傷内にトナー像が入り込むということはなく、転写抜けも生じない（図５（Ｂ）参照）。
【００５６】
ここで、図２に示すように、離型層６４の厚みをｔ（μｍ）、透明トナー７８の体積平均粒径をｄ（μｍ）としたとき、ｔ＜ｄ＋２５μｍの関係を満たすようにしている。クラック７６は離型層６４に生じるため、離型層６４の表面に透明トナー７８を供給したときに、透明トナー７８がクラック７６内に入った状態で、少なくともクラック７６内で沈み込むことがないようにする。
【００５７】
ここで、転写時に約２５μｍ以上の空隙が存在した場合には、空隙によるパッシェン放電の発生により、転写に必要な十分な電界が得られず転写不良となってしまう。そのために、クラック７６に透明トナー７８が入ったときに用紙Ｐとの空隙が２５μｍ以上とならないためにｔ＜ｄ＋２５μｍの関係を満たすようにする必要がある。
【００５８】
一方、図６には、トナー粒径６μｍの透明トナー７８を使ったときに、中間転写体ベルト１６に供給する透明トナー供給量と転写抜けの関係を示したものである。ここで、転写抜けグレード０は文字部の抜けが発生しないレベル、転写抜けクレード１は文字部の端部に僅かに抜けが発生するレベル、転写抜けクレード２は文字部の端部にはっきりと抜けが発生するレベル、転写抜けクレード３は文字部の端部以外も抜けが発生するレベル、転写抜けクレード４は文字部全体に抜けが発生するレベルである。
【００５９】
これによると、転写抜けがクレード３である中間転写体ベルト１６の表面に、透明トナーを供給することで、該転写抜けが抑制されることが分かる。具体的には、透明トナー供給量が約３ｇ／ｍ２以上では、グレードが０となり、転写抜けは発生しない。
【００６０】
なお、画像形成装置１０に予め設定されている画質モード選択で、高画質モードが選択された場合は、中間転写体ベルト１６の表面の凹凸をなくすため、通常の画質モードのときと比較して、透明トナーの供給量を増やす。
【００６１】
また、中間転写体ベルト１６の表面に傷などが生じた場合に、該傷を塞ぐ手段として、画像形成ユニット１２Ｔを用いて、透明トナー７８を中間転写体ベルト１６の表面に供給するようにしたが、中間転写体ベルト１６の表面の傷を塞いで中間転写体ベルト１６の表面を保護する保護剤であれば良いため、透明トナーに限るものではない。但し、画像形成ユニット１２Ｔを用いることで、カラー用の画像形成ユニット１２を転用して用いることができるため、別途新たな装置を用いた場合よりもコストを削減することができる。
【００６２】
さらに、本実施形態では、中間転写体ベルト１６の表面の損傷度合を判定するため、中間転写体ベルト１６の表面の反射率を算出したが、中間転写体ベルト１６の表面の損傷度合を判定することができれば良いため、これに限るものではない。
【００６３】
例えば、図３に示す反射率算出装置６６の代わりに、伸び量算出装置８８を用いて、中間転写体ベルト１６が１周回転する時間を測定して該中間転写体ベルト１６の伸びを算出することで、中間転写体ベルト１６の表面の損傷度合を判定するようにしても良い。
【００６４】
経時上、使用回数に応じて中間転写体ベルト１６にはヘタリが生じる（中間転写体ベルト１６が伸びる）。そして、使用回数に応じて中間転写体ベルト１６の表面には損傷が生じるものと推測される。一方、中間転写体ベルト１６の表面にクラックなどの損傷が生じた場合でも、該中間転写体ベルト１６では伸びが生じる。
【００６５】
このため、予め中間転写体ベルト１６に設けた目印を光学センサ９０で読み取り、該目印が検出された時間を測定する。そして、算出部９２では、予め、中間転写体ベルト１６が１周回転する時間と伸び量との関係を求めたテーブルを記憶しておき、中間転写体ベルト１６が１周回転した時間から伸び量を算出する。
【００６６】
そして、この伸び量を求めることで、中間転写体ベルト１６の表面の損傷度合が判定できるというものである。中間転写体ベルト１６の表面の損傷度合が高いほど、中間転写体ベルト１６の伸び量は大きくなるため、該伸び量が所定値以上になると、画像形成ユニット１２Ｔを制御して、中間転写体ベルト１６の表面に透明トナーを供給して付着させる。
【００６７】
なお、中間転写体ベルト１６の伸び量に応じて、中間転写体ベルト１６の表面に供給する透明トナーの量を変えるようにしても良い。そして、中間転写体ベルト１６の損傷部に拘わらず、中間転写体ベルト１６の表面、全面に渡って透明トナーを付着させても良い。
【００６８】
また、中間転写体ベルト１６の伸び量を求める以外に、回転数積算装置９４を用いて中間転写体ベルト１６の積算回転数を求めるようにする。この中間転写体ベルト１６を張架し駆動ロールとして用いられる支持ロール３４の軸部にエンコーダ９６を取付け、該エンコーダ９６によって検出された回転数をカウンタ９８によってカウントし、中間転写体ベルト１６の積算回転数を求める。
【００６９】
中間転写体ベルト１６の使用回数が多いほど中間転写体ベルト１６の表面は損傷しているものと推測されるため、中間転写体ベルト１６の積算回数数を求めることで、中間転写体ベルト１６の表面の損傷度合が判定できることになる。
【００７０】
そして、中間転写体ベルト１６の積算回転数が所定値以上になると、画像形成ユニット１２Ｔを制御して、中間転写体ベルト１６の表面に透明トナーを供給して付着させる。
【００７１】
なお、中間転写体ベルト１６の積算回転数に応じて、中間転写体ベルト１６の表面に供給する透明トナーの量を変えるようにしても良い。そして、中間転写体ベルト１６の損傷部に拘わらず、中間転写体ベルト１６の表面、全面に渡って透明トナーを付着させても良い。
【００７２】
ところで、中間転写体ベルト１６に転写されたトナー像を転写する用紙Ｐの厚みに合わせて画像形成ユニット１２Ｔから供給される透明トナー７８の量を多くする。用紙Ｐの厚みによって、中間転写体ベルト１６のトナー像を用紙Ｐに転写する二次転写部Ｑの圧力が変化する。
【００７３】
つまり、用紙Ｐが厚紙であるほど二次転写部Ｑの圧力が大きくなり、中間転写体ベルト１６に転写されたトナー像８０（図４参照）が用紙Ｐに転写されるとき、該トナー像の一部が、中間転写体ベルト１６の表面のクラック７６の中に強く入り込んだ状態となり、中間転写体ベルト１６の損傷部での転写抜けが発生しやすい。
【００７４】
このため、用紙Ｐが厚紙であるほど透明トナー７８の供給量を増やすようにすることで、該透明トナー７８でクラック７６を確実に塞ぐようにする。このように、用紙種類によって、特に厚みに合わせて透明トナー７８の供給量を変えることで、透明トナー７８を必要な量だけ使いコストを削減できる。
【００７５】
また、本実施形態では、図１に示すように、中間転写体ベルト１６の搬送方向の、画像形成ユニット１２Ｙの上流側に、透明トナー像を形成するための画像形成ユニット１２Ｔを配設したが、中間転写体ベルト１６に透明トナー像６８を付着させることができれば良いため、このような構成に限るものではない。
【００７６】
例えば、図７に示すように、中間転写体ベルト１６の上部には、中間転写体ベルト１６の搬送方向に沿って、画像形成ユニット１２Ｙ、１２Ｍ、１２Ｃ、１２Ｋのみを配設し、支持ロール４６の近傍に、透明トナーを供給するトナー供給装置１５を配設して、用紙剥離用ベルト４８と対面させるようにしても良い。
【００７７】
例えば、帯電して透明トナーを保持する感光体１７が備えられ、該感光体１７上に透明トナーを保持させる。一方、支持ロール４６には、透明トナーと逆極性の電圧を印加させ、用紙剥離用ベルト４８へ透明トナーを付着させるようにする。そして、用紙剥離用ベルト４８を介して透明トナーを中間転写体ベルト１６へ転写させるため、用紙剥離用ベルト４８上の透明トナーを中間転写体ベルト１６へ転写させるとき、二次転写ロール４４には、トナーの帯電極性と同極性の電圧が印加されるようにする。
【００７８】
なお、このトナー供給装置１５は透明トナーを供給することができれば良いため、特にその構成は特定されない。また、この場合、単に透明トナーを供給するだけで良いため、画像形成ユニットと比較すると構成の単純化を図ることができ、コストが低減される。また、装置の小型化を図ることができる。
【００７９】
さらに、本実施形態では、図１に示すように、各色の画像形成ユニット１２毎に感光体ドラム２２を備え、中間転写体ベルト１６の搬送方向に沿って各画像形成ユニット１２を一列に配列したタンデム型の画像形成装置１０について説明したが、いわゆるロータリー式の画像形成装置１００に本発明を適用させても良い。
【００８０】
ロータリー式の画像形成装置では、例えば、図８に示すように（なお、画像形成装置１０と略同一の内容については説明を省略する）、一つの感光体ドラム１０２を用い、該感光体ドラム１０２の周囲に、各色成分トナーが収容された現像器１０４Ｙ、Ｍ、Ｃ、Ｋ（イエロー（Ｙ）、マゼンタ（Ｍ）、シアン（Ｃ）、ブラック（Ｋ））を対向させて配置し、感光体ドラム１０２上の静電潜像を現像するようにしても良い。
【００８１】
また、図示はしないが、該現像器１０４Ｙ、Ｍ、Ｃ、Ｋを回転体に装着し、該回転体を回転させることで、複数色の現像器を順次感光体ドラム１０２に対向させるようにしてもよい。
【００８２】
そして、これらカラー画像形成用の現像器１０４Ｙ、Ｍ、Ｃ、Ｋとは別に、感光体ドラム１０２の回転方向に沿った現像器１０４Ｋの下流側には、透明トナー像を形成するための現像器１０４Ｔ（付着手段）が配設される。
【００８３】
また、感光体ドラム１０２の周囲には、感光体ドラム１０２の回転方向に沿った現像器１０４の上流側に、感光体ドラム１０２を帯電する帯電装置１０６と、帯電された感光体ドラム１０２上に各色成分）の静電潜像を書込む露光器１０８と、が配設されている。
そして、感光体ドラム１０２の回転方向に沿った現像器１０４の下流側では、感光体ドラム１０２が中間転写ベルト１１０と接触し、その下流側には、感光体ドラム１０２上の残留トナーを清掃するクリーニング装置１１２が配設されている。
【００８４】
そして、中間転写体ベルト１１０の表面と対面する位置に反射率算出装置６６を配設し、中間転写体ベルト１１０の表面の反射率を算出する。該中間転写体ベルト１１０の表面の反射率が所定値以下になると、現像器１０４Ｔを制御して、中間転写体ベルト１６の表面に透明トナーを供給する。なお、中間転写体ベルト１１０の表面の反射率に応じて、中間転写体ベルト１１０の表面に供給する透明トナーの量を変えるようにしても良い。
【００８５】
このようなロータリー式の画像形成装置１００においても、タンデム式の画像形成装置１０と略同様の効果を得ることができる。
【図面の簡単な説明】
【００８６】
【図１】本発明の実施形態に係る画像形成装置を示す概略構成図である。
【図２】本発明の実施形態に係る画像形成装置の中間転写体ベルトの断面図である。
【図３】本発明の実施形態に係る画像形成装置の中間転写体ベルトの表面の損傷度合を判定する制御部の構成を説明するブロック図である。
【図４】転写抜けの説明をするための説明図である。
【図５】（Ｂ）は、本発明の実施形態に係る画像形成装置の作用を説明する説明図であり、（Ａ）は（Ｂ）の比較例である。
【図６】透明トナー供給量と転写抜けグレードの関係を示すグラフである。
【図７】本発明の実施形態に係る画像形成装置の第１変形例を示す概略構成図である。
【図８】本発明の実施形態に係る画像形成装置の第２変形例を示す概略構成図である。
【符号の説明】
【００８７】
１０      画像形成装置
１２Ｔ    画像形成ユニット（付着手段）
１５      トナー供給装置（付着手段）
１６      中間転写体ベルト（中間転写体）
１７      感光体（像保持手段）
１６      中間転写体ベルト（中間転写体）
２２      感光体ドラム（像保持手段）
６２      弾性層（中間転写体）
６４      離型層（中間転写体）
７４      制御部（制御手段）
７６      クラック
７８      透明トナー（保護剤）
１００    画像形成装置
１０２    感光体ドラム（像保持手段）
１０４Ｔ  現像器（付着手段）
１１０    中間転写ベルト（中間転写体）
【図１】
0004924237.tif 000002
【図２】
0004924237.tif 000003
【図３】
0004924237.tif 000004
【図４】
0004924237.tif 000005
【図５】
0004924237.tif 000006
【図６】
0004924237.tif 000007
【図７】
0004924237.tif 000008
【図８】
0004924237.tif 000009